【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
用紙上に画像を形成する画像形成部と、
前記画像形成部で前記画像が形成された前記用紙の紙面を読み取る画像読み取り部と、
前記画像形成部で前記画像が形成された前記用紙の温度を測定する温度測定部と、
前記画像読み取り部で読み取られた前記紙面上の画像と前記温度測定部で測定された前記用紙の温度とに基づいて、前記画像形成部で形成する前記画像の色を補正する色補正部と、
前記温度測定部が温度を測定する場合の用紙の搬送速度が、前記画像読み取り部が紙面を読み取る場合の用紙の搬送速度よりも遅くなるような用紙搬送制御を行う搬送制御部と、を備える
画像形成装置。
【請求項２】
前記搬送制御部は、前記用紙の用紙サイズに応じて、前記温度測定部が温度を測定する場合の用紙の搬送速度が、前記画像読み取り部が紙面を読み取る場合の用紙の搬送速度よりも遅くなるような前記用紙搬送制御を行う
請求項１に記載の画像形成装置。
【請求項３】
前記搬送制御部は、
前記用紙の用紙サイズが第１のサイズのとき、前記温度測定部が温度を測定する場合の用紙の搬送速度が、前記画像読み取り部が紙面を読み取る場合の用紙の搬送速度よりも遅くなるような前記用紙搬送制御 を行い、
前記用紙サイズが前記第１のサイズよりも大きい第２のサイズのとき、前記用紙搬送制御を行わない
請求項１に記載の画像形成装置。
【請求項４】
前記搬送制御部は、前記用紙の用紙サイズが所定サイズよりも小さいとき、前記用紙搬送制御において、用紙を停止させる
請求項２または３に記載の画像形成装置。
【請求項５】
前記搬送制御部は、
前記用紙が搬送される搬送路における、前記画像読み取り部によって前記用紙の紙面上の画像が読み取られる画像取得位置と、前記温度測定部によって前記用紙の温度が測定される用紙温度測定位置とにより示される配置関係と、前記用紙の用紙サイズとに応じて、
前記温度測定部が温度を測定する場合の用紙の搬送速度が、前記画像読み取り部が紙面を読み取る場合の用紙の搬送速度よりも遅くなるような前記用紙搬送制御を行う
請求項１〜４のいずれか一項に記載の画像形成装置。
【請求項６】
前記搬送制御部は、前記搬送路上を搬送される前記用紙の用紙後端が前記画像取得位置に到達するまでの間、第１の搬送速度で前記用紙を搬送し、前記用紙の用紙後端が前記画像取得位置を通過してから前記用紙の用紙後端が前記温度測定部の温度測定位置に到達するまでの間、前記第１の搬送速度よりも遅い第２の搬送速度で前記用紙を搬送する
請求項１〜３のいずれか一項に記載の画像形成装置。
【請求項７】
前記第１の搬送速度は、前記画像読み取り部で画像読み取りを行える最速の搬送速度である
請求項６に記載の画像形成装置。
【請求項８】
前記搬送制御部は、前記用紙の用紙後端が前記用紙温度測定位置を通過した後、前記用紙の搬送速度を前記第１の搬送速度に戻す
請求項６または７に記載の画像形成装置。
【請求項９】
前記搬送路上を複数枚の用紙が連続して搬送される場合、前記搬送制御部は、前記搬送制御部による前記用紙搬送制御が行われない場合における紙間である第１の紙間よりも長い第２の紙間に相当する時間分待機後、次の用紙の給紙を行う制御を行う
請求項６〜８のいずれか一項に記載の画像形成装置。
【請求項１０】
前記搬送制御部は、前記第２の搬送速度が、前記用紙を搬送できる最低線速を下回る場合、前記用紙の搬送を停止し、前記温度測定部による前記用紙の温度の測定時間が経過後、前記用紙の搬送を再開する
請求項９に記載の画像形成装置。
【請求項１１】
前記搬送制御部は、前記第２の搬送速度が、前記用紙を搬送できる最低線速を下回る場合、前記画像取得位置及び前記用紙温度測定位置間の距離である第１の距離の１／２の距離を前記第１の搬送速度で除算して得られる時間である第２の時間分、前記第１の搬送速度での前記用紙の搬送を行い、前記第２の時間が経過後、前記温度測定部の応答時間から前記第２の時間を減算して得られる時間分、前記用紙の搬送を停止する
請求項１０に記載の画像形成装置。
【請求項１２】
請求項１〜１１のいずれか一項に記載の画像形成装置であって、画像形成装置本体と後処理装置を備える画像形成装置。
【請求項１３】
用紙上に画像を形成する手順と、
前記画像が形成された前記用紙の紙面を画像読み取り部により読み取る手順と、
前記画像が形成された前記用紙の温度を温度測定部により測定する手順と、
前記読み取りが行われた前記紙面上の画像と、前記測定された前記用紙の温度とに基づいて、前記形成される前記画像の色を補正する手順と、
前記温度測定部が温度を測定する場合の用紙の搬送速度が、前記画像読み取り部が紙面を読み取る場合の用紙の搬送速度よりも遅くなるような用紙搬送制御を行う手順と、
をコンピューターに実行させるためのプログラム。
【請求項１４】
前記用紙搬送制御を行う手順において、前記用紙の用紙サイズに応じて、前記温度測定部が温度を測定する場合の用紙の搬送速度が、前記画像読み取り部が紙面を読み取る場合の用紙の搬送速度よりも遅くなるような前記用紙搬送制御を行う
請求項１３に記載のプログラム。
【請求項１５】
用紙上に画像を形成する画像形成部と、
前記画像形成部で前記画像が形成された前記用紙の紙面を読み取る画像読み取り部と、
前記画像形成部で前記画像が形成された前記用紙の温度を測定する温度測定部と、
前記画像読み取り部で読み取られた前記紙面上の画像と前記温度測定部で測定された前記用紙の温度とに基づいて、前記画像形成部で形成する前記画像の色を補正する色補正部と、
制御部とを備える画像形成装置において、
前記温度測定部が温度を測定する場合の用紙の搬送速度が、前記画像読み取り部が紙面を読み取る場合の用紙の搬送速度よりも遅くなるような用紙搬送制御を行う方法。
【請求項１６】
前記用紙搬送制御において、前記用紙の用紙サイズに応じて、前記温度測定部が温度を測定する場合の用紙の搬送速度が、前記画像読み取り部が紙面を読み取る場合の用紙の搬送速度よりも遅くなるような請求項１５に記載の用紙搬送制御を行う方法。
【請求項１７】
画像形成装置本体により画像が形成された用紙の紙面を読み取る画像読み取り部と、
前記画像形成装置本体により画像が形成された用紙の温度であって、前記画像読み取り部で読み取られた前記紙面上の画像とともに前記画像形成装置本体についての色補正を行うために用いられる前記温度を測定する温度測定部と、
前記温度測定部が前記温度を測定する場合の用紙の搬送速度が、前記画像読み取り部が紙面を読み取る場合の用紙の搬送速度よりも遅くなるような用紙搬送制御を行う搬送制御部と、を備える
後処理装置。
【請求項１８】
前記搬送制御部は、前記用紙の用紙サイズに応じて、前記温度測定部が温度を測定する場合の用紙の搬送速度が、前記画像読み取り部が紙面を読み取る場合の用紙の搬送速度よりも遅くなるような前記用紙搬送制御を行う
請求項１７に記載の後処理装置。
【請求項１９】
画像形成装置本体により画像が形成された前記用紙の紙面を画像読み取り部により読み取る手順と、
前記画像形成装置本体により画像が形成された用紙の温度であって、前記画像読み取り部で読み取られた前記紙面上の画像とともに前記画像形成装置本体についての色補正を行うために用いられる前記温度を温度測定部により測定する手順と、
前記温度測定部が温度を測定する場合の用紙の搬送速度が、前記画像読み取り部が紙面を読み取る場合の用紙の搬送速度よりも遅くなるような用紙搬送制御を行う手順と、
をコンピューターに実行させるためのプログラム。
【請求項２０】
前記用紙搬送制御を行う手順において、前記用紙の用紙サイズに応じて、前記温度測定部が温度を測定する場合の用紙の搬送速度が、前記画像読み取り部が紙面を読み取る場合の用紙の搬送速度よりも遅くなるような前記用紙搬送制御を行う
請求項１９に記載のプログラム。
【請求項２１】
画像形成装置本体により前記画像が形成された前記用紙の紙面を読み取る画像読み取り部と、
前記画像形成装置本体により画像が形成された用紙の温度であって、前記画像読み取り部で読み取られた前記紙面上の画像とともに前記画像形成装置本体についての色補正を行うために用いられる前記温度を温度測定部により測定する温度測定部と、
制御部とを備える後処理装置において、
前記温度測定部が温度を測定する場合の用紙の搬送速度が、前記画像読み取り部が紙面を読み取る場合の用紙の搬送速度よりも遅くなるような用紙搬送制御を行う方法。
【請求項２２】
前記用紙搬送制御において、前記用紙の用紙サイズに応じて、前記温度測定部が温度を測定する場合の用紙の搬送速度が、前記画像読み取り部が紙面を読み取る場合の用紙の搬送速度よりも遅くなるような請求項２１に記載の用紙搬送制御を行う方法。
【手続補正２】
【補正対象書類名】明細書
【補正対象項目名】発明の名称
【補正方法】変更
【補正の内容】
【発明の名称】画像形成装置、プログラム、後処理装置及び用紙搬送制御を行う方法